(57)【要約】【課題】用紙カセットを引き出すことなくジャム処理が可能な画像形成装置を提供する。【解決手段】画像形成装置１００は、用紙カセット２１０およびカセットカバー２２０を備える。用紙カセット２１０は、用紙を収納し、給紙方向に直交する方向に引き出し可能である。カセットカバー２２０は、用紙カセット２１０の引き出し方向の前面に配され、用紙カセット２１０の少なくとも用紙収納部分の一部を開放可能とし、用紙カセット２１０が引き出されることなく開放可能である。【選択図】図２
2013193807.tif 000002
【特許請求の範囲】
【請求項１】
用紙を収納し、給紙方向に直交する方向に引き出し可能な用紙カセットと、
前記用紙カセットの引き出し方向の前面に配され、前記用紙カセットの少なくとも用紙収納部分の一部を開放可能とし、前記用紙カセットが引き出されることなく開放可能なカセットカバーと、
を備える画像形成装置。
【請求項２】
前記カセットカバーが開放されるときに前記用紙カセットが引き出されることを防止する第１ロック機構
をさらに備える請求項１に記載の画像形成装置。
【請求項３】
前記カセットカバーが開放されているときに前記用紙カセットが引き出されることを防止する第２ロック機構
をさらに備える請求項１または２に記載の画像形成装置。
【請求項４】
複数の前記用紙カセットと、
複数の前記用紙カセットのそれぞれに配される複数の前記カセットカバーと、
前記カセットカバーが開放されることを防止する第３ロック機構と、
用紙ジャムを検出すると、用紙ジャムが発生した前記用紙カセットに配される前記カセットカバーの前記第３ロック機構のロックを解除する制御部と、
をさらに備える請求項１〜３のいずれか１項に記載の画像形成装置。
【請求項５】
前記制御部は、用紙ジャムを検出すると、用紙ジャムが発生した前記用紙カセットに配される前記カセットカバーの前記第３ロック機構のロックを解除して、前記第３ロック機構のロックが解除された前記カセットカバーを開放する
請求項４に記載の画像形成装置。
【発明の詳細な説明】
【技術分野】
【０００１】
本発明は、用紙カセットおよびカセットカバーを備える画像形成装置に関する。
【背景技術】
【０００２】
用紙カセットが下部に配される画像形成装置では、用紙が用紙カセットと用紙搬送路とにまたがった状態で用紙ジャムが発生した場合に、用紙カセットを引き出してジャム処理をしていた。
【０００３】
しかし、このような用紙ジャムを処理するために用紙カセットを引き出すと、用紙が用紙カセットと搬送路との間で破れてしまうことがあった。この場合、破れた用紙が搬送路に残ったままとなり、さらにこの用紙を除去する必要があった。
【０００４】
そこで、用紙カセットと搬送路とにまたがった状態で用紙ジャムが発生した場合に、給紙ローラを逆回転させて用紙カセットに当該用紙を戻す技術が開発されている（例えば、特許文献１参照。）。
【先行技術文献】
【特許文献】
【０００５】
【特許文献１】特開昭６３−１２７９３３号公報
【発明の概要】
【発明が解決しようとする課題】
【０００６】
しかしながら、用紙カセットと搬送路とにまたがった状態でジャムが発生した場合には、その時点で用紙が変形していることが多いため、特許文献１に開示されている技術のように給紙ローラを逆回転させても、適正に用紙カセットに用紙が戻らないことがあった。
【０００７】
そこで、本発明の目的は、上記課題に鑑み、用紙カセットを引き出すことなくジャム処理が可能な画像形成装置を提供することにある。
【課題を解決するための手段】
【０００８】
本発明の画像形成装置は、用紙カセットおよびカセットカバーを備える。
【０００９】
用紙カセットは、用紙を収納し、給紙方向に直交する方向に引き出し可能である。カセットカバーは、用紙カセットの引き出し方向の前面に配され、用紙カセットの少なくとも用紙収納部分の一部を開放可能とし、用紙カセットが引き出されることなく開放可能である。
【００１０】
この構成では、用紙ジャム発生時に用紙カセットを引き出すことなくジャム用紙を引き抜いてジャム処理ができるため、ジャム用紙が破損する虞を低減することができる。したがって、破損した用紙が搬送路内に残留することによる再度の用紙ジャム発生を防止することができる。
【発明の効果】
【００１１】
本発明における画像形成装置は、用紙カセットを引き出すことなくジャム処理が可能である。
【図面の簡単な説明】
【００１２】
【図１】本発明の第１実施形態に係る画像形成装置の構成を示す正面断面図である。
【図２】本発明の第１実施形態に係る画像形成装置における用紙カセットおよびカセットカバーの配置を示す斜視図である。
【図３】本発明の第１実施形態に係る画像形成装置におけるカセットカバーの開放状態を示す斜視図である。
【図４】本発明の第１実施形態に係る画像形成装置における用紙カセットの正面図である。
【図５】本発明の第２実施形態に係る画像形成装置における用紙カセットおよびカセットカバーの配置を示す右側面図である。
【図６】本発明の第３実施形態に係る画像形成装置における用紙カセットおよびカセットカバーの配置を示す右側面図である。
【図７】本発明の第４実施形態に係る画像形成装置の主要な構成を示すブロック図である。
【図８】本発明の第４実施形態に係る画像形成装置における用紙カセットおよびカセットカバーの配置を示す右側面図である。
【図９】本発明の第４実施形態に係る画像形成装置の制御内容を示すフローチャートである。
【図１０】本発明の第５実施形態に係る画像形成装置の制御内容を示すフローチャートである。
【図１１】本発明の第６実施形態に係る画像形成装置の用紙カセットの平面断面図である。
【図１２】本発明の第７実施形態に係る画像形成装置における用紙カセットの正面図である。
【発明を実施するための形態】
【００１３】
以下、本発明の実施形態に係る画像形成装置を、図面を参照しつつ詳細に説明する。
【００１４】
最初に、本発明の第１実施形態について説明する。
【００１５】
図１は、本発明の第１実施形態に係る画像形成装置１００の構成を示す正面断面図である。
【００１６】
画像形成装置１００は、外部から伝達された画像データに応じて、所定のシート（記録用紙）に対して多色または単色の画像を形成するものである。画像形成装置１００は、原稿処理装置１２０、画像形成部１１０および排紙部９０から構成されている。
【００１７】
原稿処理装置１２０は、原稿載置台１２１、原稿搬送装置１２２および原稿読取部１２３を有する。原稿載置台１２１は、透明ガラスからなり、原稿が載置可能な構成となっている。原稿搬送装置１２２は、原稿トレイに積載された原稿を１枚ずつ搬送する。また、原稿搬送装置１２２は、矢印１２４方向に回動自在に構成され、原稿載置台１２１の上を開放することにより原稿載置台１２１に原稿を置くことができるようになっている。原稿読取部１２３は、原稿搬送装置１２２で搬送中の原稿または原稿載置台１２１に載置された原稿を読み取る。
【００１８】
画像形成部１１０は、画像形成ステーション３１，３２，３３，３４、露光ユニット３０、中間転写ベルトユニット５０および定着ユニット７０から構成されている。画像形成ステーション３１，３２，３３，３４は、それぞれ感光体ドラム１０、帯電装置２０、現像器４０およびクリーナユニット６０が設けられており、ブラック（Ｋ）、シアン（Ｃ）、マゼンタ（Ｍ）およびイエロー（Ｙ）の各色を用いたカラー画像に応じたものである。本実施形態では、画像形成ステーション３１について説明する。
【００１９】
感光体ドラム１０は、画像形成時に回転し、現像剤像を担持するためのものである。感光体ドラム１０の周囲には、回転方向上流から帯電装置２０、露光ユニット３０、現像器４０、中間転写ベルトユニット５０、クリーナユニット６０の順に配置されている。定着ユニット７０は、用紙搬送路１０１上において画像形成部１１０の最も下流に位置する。
【００２０】
帯電装置２０は、感光体ドラム１０の表面を所定の電位に均一に帯電させるための帯電手段である。詳細については、図２以降において説明する。露光ユニット３０は、帯電された感光体ドラム１０を入力された画像データに応じて露光することにより、その表面に、画像データに応じた静電潜像を形成する機能を有する。現像器４０は、感光体ドラム１０上に形成された静電潜像をトナーにより顕像化するものである。
【００２１】
中間転写ベルトユニット５０は、中間転写ベルト５１、中間転写ベルト駆動ローラ５２、中間転写ベルト従動ローラ５３、中間転写ローラ５４および中間転写ベルトクリーニングユニット５５を備えている。
【００２２】
中間転写ベルト駆動ローラ５２、中間転写ベルト従動ローラ５３および中間転写ローラ５４は、中間転写ベルト５１を張架して回転駆動させる。また、中間転写ローラ５４は、感光体ドラム１０のトナー像を、中間転写ベルト５１上に転写するための転写バイアスを与える。
【００２３】
中間転写ベルト５１は、感光体ドラム１０に接触するように設けられている。そして、感光体ドラム１０に形成されたトナー像を中間転写ベルト５１に転写することによって、中間転写ベルト５１上にトナー像を形成する機能を有している。
【００２４】
感光体ドラム１０から中間転写ベルト５１へのトナー像の転写は、中間転写ベルト５１の裏側に接触している中間転写ローラ５４によって行われる。中間転写ローラ５４には、トナー像を転写するために高電圧の転写バイアスが印加されている。
【００２５】
上述のように感光体ドラム１０上で顕像化された静電潜像は中間転写ベルト５１で積層される。このように積層された画像情報は、中間転写ベルト５１の回転によって、用紙と中間転写ベルト５１との接触位置に配置される転写ローラ５６によって用紙上に転写される。
【００２６】
このとき、中間転写ベルト５１と転写ローラ５６は所定ニップで圧接されるとともに、転写ローラ５６にはトナーを用紙に転写させるための電圧が印加される。
【００２７】
また、上記のように、感光体ドラム１０に接触することにより中間転写ベルト５１に付着したトナーもしくは転写ローラ５６によって用紙上に転写が行われず中間転写ベルト５１上に残存したトナーは、中間転写ベルトクリーニングユニット５５によって除去・回収されるように設定されている。
【００２８】
クリーナユニット６０は、現像・画像転写後における感光体ドラム１０上の表面に残留したトナーを除去・回収する。定着ユニット７０は、加熱ローラ７１および加圧ローラ７２を備えており、加熱ローラ７１および加圧ローラ７２は、シートを挟んで回転するようになっている。また、加熱ローラ７１を外部から加熱するための外部加熱ベルト７３が設けられている。
【００２９】
排紙部９０は、排紙トレイ９１および排紙ローラ９２を有する。定着ユニット７０を通過した用紙は、排紙ローラ９２を経て排紙トレイ９１に排出される。排紙トレイ９１は、印刷済みのシートを集積するためのトレイである。
【００３０】
また、両面印字要求のときは、上記のように片面印字が終了し定着ユニット７０を通過したシートの後端が排紙ローラ９２で把持されたときに、排紙ローラ９２が逆回転することによってシートを搬送ローラ１０２，１０３に導く。そしてその後レジストローラ１０４を経てシート裏面に印字が行われた後にシートが排紙トレイ９１に排出される。
【００３１】
図２は、本発明の第１実施形態に係る画像形成装置１００における用紙カセット２１０およびカセットカバー２２０の配置を示す斜視図である。図３は、本発明の第１実施形態に係る画像形成装置１００におけるカセットカバー２２０の開放状態を示す斜視図である。
【００３２】
画像形成装置１００は、用紙カセット２１０およびカセットカバー２２０を備える。
【００３３】
用紙カセット２１０は、画像形成装置１００の下部に配される。また、用紙カセット２１０は、用紙を収納し、給紙方向に直交する方向（矢印２１１方向）に引き出し可能である。カセットカバー２２０は、用紙カセット２１０の引き出し方向（矢印２１１方向）の前面に配される。また、カセットカバー２２０は、用紙カセット２１０の少なくとも用紙収納部分の一部を開放可能とし、用紙カセット２１０が引き出されることなく開放可能である。
【００３４】
用紙カセット２１０は、給紙方向に直交する方向（矢印２１１方向）に移動可能に構成されている。これに対して、カセットカバー２２０は、軸２２１を中心に回動可能に構成されている。すなわち、用紙カセット２１０を移動させるときにかかるモーメントとカセットカバー２２０を開放（回動）させるときにかかるモーメントとは異なるため、カセットカバー２２０は、用紙カセット２１０が引き出されることなく開放可能な構成をとることができる。
【００３５】
例えば、用紙カセット２１０を引き出すときにかかる力をＡとし、カセットカバー２２０を開放するときにかかる力をＢとしたときに、Ａ＞Ｂに設定すれば、カセットカバー２２０を開放させる際に用紙カセット２１０が引き出されることがない。
【００３６】
図４は、本発明の第１実施形態に係る画像形成装置１００における用紙カセット２１０の正面図である。
【００３７】
用紙カセット２１０は、用紙２１２を収納する。用紙２１２の最上面の用紙を用紙２１３とすると、用紙２１３は、図示しないピックアップローラにピックアップされ、ローラ１０５およびローラ１０６によって用紙搬送路１０１の下流側に搬送される。仮に、用紙２１３の一部がローラ１０５およびローラ１０６に挟まれた状態で、かつ、用紙２１３の一部が用紙カセット２１０内に残留している状態で用紙ジャムが発生したとすると、ユーザは、カセットカバー２２０を開放状態にして用紙カセット２１０内を露出させ、用紙２１３を用紙搬送方向とは逆方向（矢印２１４方向）に引っ張ることで、用紙２１３を用紙カセット２１０内に引き戻すことができる。
【００３８】
この構成では、用紙ジャム発生時に用紙カセット２１０を引き出すことなくジャム用紙２１３を引き抜いてジャム処理ができるため、ジャム用紙２１３が破損する虞を低減することができる。したがって、破損した用紙が用紙搬送路１０１内に残留することによる再度の用紙ジャム発生を防止することができる。
【００３９】
次に、本発明の第２実施形態について説明する。なお、本実施形態以降の各実施形態においては、第１実施形態において説明した内容を適宜省略する。
【００４０】
図５は、本発明の第２実施形態に係る画像形成装置１００における用紙カセット２１０およびカセットカバー２２０の配置を示す右側面図である。
【００４１】
画像形成装置１００は、第１ロック機構２３０をさらに備えると好ましい。第１ロック機構２３０は、カセットカバー２２０が開放されるときに用紙カセット２１０が引き出されることを防止する。第１ロック機構２３０は、一例として、用紙カセット２１０の背面と画像形成装置１００の筐体背面とを係合する係合部材である。カセットカバー２２０は、第１ロック機構２３０によって、用紙カセット２１０が引き出されることなく開放可能な構成をとることができる。
【００４２】
この構成では、用紙ジャム発生時に用紙カセット２１０を引き出すことなくジャム用紙を引き抜いてジャム処理ができるため、ジャム用紙が破損する虞を低減することができる。したがって、破損した用紙が用紙搬送路１０１内に残留することによる再度の用紙ジャム発生を防止することができる。
【００４３】
次に、本発明の第３実施形態について説明する。
【００４４】
図６は、本発明の第３実施形態に係る画像形成装置１００における用紙カセット２１０およびカセットカバー２２０の配置を示す右側面図である。
【００４５】
画像形成装置１００は、第２ロック機構２４０をさらに備えると好ましい。第２ロック機構２４０は、カセットカバー２２０が開放されているときに用紙カセット２１０が引き出されることを防止する。第２ロック機構２４０は、圧縮バネ２４１によって上方向に付勢されている。
【００４６】
図６（Ａ）は、カセットカバー２２０の閉鎖状態を示す右側面図である。カセットカバー２２０は、突起２２２を有する。突起２２２は、第２ロック機構２４０が用紙カセット２１０よりも上方に位置しないように第２ロック機構２４０を抑えている。
【００４７】
図６（Ｂ）は、カセットカバー２２０の開放状態を示す右側面図である。この状態では、第２ロック機構２２０を抑える突起２２２がカセットカバー２２０とともに開放位置に移動する。したがって、第２ロック機構２２０はフリーの状態となるため、圧縮バネ２４１の付勢力によって用紙カセット２１０よりも上方に位置する。このとき、第２ロック機構２２０は、用紙カセット２１０に支持されて固定状態となっている。
【００４８】
図６（Ｃ）は、画像形成装置１００と用紙カセット２１０およびカセットカバー２２０との位置関係を示す右側面図である。画像形成装置１００は、リブ１３０を有する。リブ１３０は、用紙カセット２１０の上面よりも上方に配される。カセットカバー２２０が開放状態にある場合には、リブ１３０と第２ロック機構２４０とが当接し、用紙カセット２１０が引き出されることを防止できる。
【００４９】
この構成では、用紙ジャム発生時にカセットカバー２２０が開放されている状態において、リブ１３０と第２ロック機構２４０との当接により、用紙カセット２１０が不意に引き出されることを防止することで、ジャム用紙が破損する虞を低減することができる。したがって、破損した用紙が用紙搬送路１０１内に残留することによる再度の用紙ジャム発生を防止することができる。
【００５０】
次に、本発明の第４実施形態について説明する。
【００５１】
図７は、本発明の第４実施形態に係る画像形成装置１００の主要な構成を示すブロック図である。図８は、本発明の第４実施形態に係る画像形成装置１００における用紙カセット２１５，２１６，２１７およびカセットカバー２２５，２２６，２２７の配置を示す右側面図である。
【００５２】
画像形成装置１００は、用紙カセット２１５〜２１７、カセットカバー２２５〜２２７、第３ロック機構２５５，２５６，２５７、ジャム検出部２６３、ＣＰＵ２６０、ＲＯＭ２６１およびＲＡＭ２６２を備えると好ましい。
【００５３】
本実施形態では、用紙カセットおよびカセットカバーは、複数備えられる。第３ロック機構２５５〜２５７は、用紙カセット２１５〜２１７とカセットカバー２２５〜２２７との間にそれぞれ配される。また、第３ロック機構２５５〜２５７は、カセットカバー２２５〜２２７が開放されることを防止する。第３ロック機構２５５〜２５７は、例えばソレノイドから構成される。
【００５４】
ジャム検出部２６３は、用紙搬送路１０１におけるローラ１０５とローラ１０６との間に配され、用紙２１３の一部が用紙カセット２１０内に残留している状態における用紙ジャムの発生を検出する。
【００５５】
ＣＰＵ２６０は、ＲＯＭ２６１から所定の制御プログラムを読みだして実行し、各部を総括的に制御する制御部である。ＲＯＭ２６１は、各部を総括的に制御するための制御プログラムを格納する。ＲＡＭ２６２は、ＣＰＵ２６０のワーキングエリアとして活用される。
【００５６】
また、ＣＰＵ２６０は、ジャム検出部２６３からジャム検出信号を受け取ると、用紙ジャムが発生した用紙カセット（２１５，２１６または２１７）に配されるカセットカバー（２２５，２２６または２２７）の第３ロック機構（２５５，２５６または２５７）のロックを解除する。
【００５７】
図９は、本発明の第４実施形態に係る画像形成装置１００の制御内容を示すフローチャートである。
【００５８】
ＣＰＵ２６０は、画像形成指示がされるまで待機する（Ｓ１１０のＮ）。ＣＰＵ２６０は、画像形成指示がされたと判断すると（Ｓ１１０のＹ）、用紙２１２から用紙を給紙（ピックアップ）する（Ｓ１２０）。そして、ＣＰＵ２６０は、用紙ジャムが発生したか否かを判断する（Ｓ１３０）。
【００５９】
ＣＰＵ２６０は、用紙ジャムが発生していないと判断すると（Ｓ１３０のＮ）、次の用紙を給紙する必要があるか否かを判断する（Ｓ１４０）。ＣＰＵ２６０は、次の用紙を給紙する必要があると判断すると（Ｓ１４０のＹ）、Ｓ１２０の制御に戻る。ＣＰＵ２６０は、次の用紙を給紙する必要がないと判断すると（Ｓ１４０のＮ）、本実施形態の制御を終了する。
【００６０】
ＣＰＵ２６０は、用紙ジャムが発生したと判断すると（Ｓ１３０のＹ）、用紙ジャムが発生した用紙カセット（２１５，２１６または２１７）に配されるカセットカバー（２２５，２２６または２２７）の第３ロック機構（２５５，２５６または２５７）のロックを解除し（Ｓ１５０）、本実施形態の制御を終了する。
【００６１】
この構成では、用紙ジャムが発生した用紙カセット（２１５，２１６または２１７）に配されるカセットカバー（２２５，２２６または２２７）の第３ロック機構（２５５，２５６または２５７）のロックが解除される、すなわち、他のカセットカバーの第３ロック機構のロックは解除されないため、ユーザは、どの用紙カセットにおいて用紙ジャムが発生したかを容易に判断することができる。
【００６２】
次に、本発明の第５実施形態について説明する。
【００６３】
図１０は、本発明の第５実施形態に係る画像形成装置１００の制御内容を示すフローチャートである。
【００６４】
ＣＰＵ２６０は、ジャム検出部２６３からジャム検出信号を受け取ると、用紙ジャムが発生した用紙カセット（２１５，２１６または２１７）に配されるカセットカバー（２２５，２２６または２２７）の第３ロック機構（２５５，２５６または２５７）のロックを解除して、第３ロック機構のロックが解除されたカセットカバー（２２５，２２６または２２７）を開放する。本実施形態において、この制御をフローチャートにて説明する。
【００６５】
ＣＰＵ２６０は、画像形成指示がされるまで待機する（Ｓ２１０のＮ）。ＣＰＵ２６０は、画像形成指示がされたと判断すると（Ｓ２１０のＹ）、用紙２１２から用紙を給紙（ピックアップ）する（Ｓ２２０）。そして、ＣＰＵ２６０は、用紙ジャムが発生したか否かを判断する（Ｓ２３０）。
【００６６】
ＣＰＵ２６０は、用紙ジャムが発生していないと判断すると（Ｓ２３０のＮ）、次の用紙を給紙する必要があるか否かを判断する（Ｓ２４０）。ＣＰＵ２６０は、次の用紙を給紙する必要があると判断すると（Ｓ２４０のＹ）、Ｓ２２０の制御に戻る。ＣＰＵ２６０は、次の用紙を給紙する必要がないと判断すると（Ｓ２４０のＮ）、本実施形態の制御を終了する。
【００６７】
ＣＰＵ２６０は、用紙ジャムが発生したと判断すると（Ｓ２３０のＹ）、用紙ジャムが発生した用紙カセット（２１５，２１６または２１７）に配されるカセットカバー（２２５，２２６または２２７）の第３ロック機構（２５５，２５６または２５７）のロックを解除し（Ｓ２５０）、第３ロック機構のロックが解除されたカセットカバー（２２５，２２６または２２７）を開放し（Ｓ２６０）、本実施形態の制御を終了する。
【００６８】
この構成では、用紙ジャムが発生した用紙カセット（２１５，２１６または２１７）に配されるカセットカバー（２２５，２２６または２２７）の第３ロック機構（２５５，２５６または２５７）のロックが解除されてカセットカバー（２２５，２２６または２２７）が開放される、すなわち、他のカセットカバー（２２５，２２６または２２７）は開放されないため、ユーザは、どの用紙カセットにおいて用紙ジャムが発生したかをさらに容易に判断することができる。
【００６９】
次に、本発明の第６実施形態について説明する。
【００７０】
図１１は、本発明の第６実施形態に係る画像形成装置１００の用紙カセット２１０の平面断面図である。
【００７１】
画像形成装置１００は、第４ロック機構２７１，２７２，２７３，２７４をさらに備えると好ましい。第４ロック機構２７１〜２７４は、カセットカバー２２０を開放するときに、用紙カセット２１０が引き出されないようにする機構である。
【００７２】
図１１（Ａ）は、カセットカバー２２０の閉鎖状態を示す平面断面図である。第４ロック機構２７１，２７４は、カセットカバー２２０に配される。第４ロック機構２７２，２７３は、用紙カセット２１０に配される。なお、第４ロック機構２７１，２７２，２７４は、棒状または板状の部材であるが、第４ロック機構２７３は、圧縮バネである。
【００７３】
図１１（Ｂ）は、第４ロック機構２７１〜２７４の動作を示す平面断面図である。カセットカバー２２０を開放するときには、ユーザは、第４ロック機構２７１を矢印２７５方向に押せばよい。そうすると、第４ロック機構２７１と第４ロック機構２７２とが摺接し、第４ロック機構２７２が第４ロック機構２７３の付勢力に抗して矢印２７６方向に退避する。この状態では、第４ロック機構２７２と第４ロック機構２７４とのロックが解除される。
【００７４】
図１１（Ｃ）は、カセットカバー２２０の開放状態を示す平面断面図である。ユーザが図１１（Ｂ）の状態から取手２２３を手前に引くと、用紙カセット２１０が引き出されることなくカセットカバー２２０が開放される。
【００７５】
この構成では、用紙カセット２１０が引き出されることなくカセットカバー２２０が開放される構成を、簡易な構成で構築することができる。
【００７６】
次に、本発明の第７実施形態について説明する。
【００７７】
図１２は、本発明の第７実施形態に係る画像形成装置における用紙カセット２１８の正面図である。
【００７８】
図１２（Ａ）は、カセットカバー２２８の閉鎖状態を示す正面図である。カセットカバー２２８は、用紙カセット２１８の用紙収納部分の一部を覆っている。カセットカバー２２８は、矢印２２９方向に移動（スライド）可能に構成されている。
【００７９】
図１２（Ｂ）は、カセットカバー２２８の開放状態を示す正面図である。図１２（Ａ）の状態からカセットカバー２２８を矢印２２９方向に移動（スライド）させると、用紙カセット２１０における用紙収納部分の一部が露出する。
【００８０】
仮に、用紙２１３の一部がローラ１０５およびローラ１０６に挟まれた状態で、かつ、用紙２１３の一部が用紙カセット２１８内に残留している状態で用紙ジャムが発生したとすると、ユーザは、カセットカバー２２８を図１２（Ｂ）に示すように開放状態にして用紙カセット２１８内を露出させ、用紙２１３を用紙搬送方向とは逆方向（矢印２１４方向）に引っ張ることで、用紙２１３を用紙カセット２１０内に引き戻すことができる。
【００８１】
この構成では、用紙カセット２１８が引き出されることなくカセットカバー２２８が開放される構成を、簡易な構成で構築することができる。
【００８２】
また、この構成では、用紙カセット２１８の用紙収納部分の一部を開放すればよいだけなので、カセットカバー２２８を閉鎖状態から開放状態にする際のスペースを必要とすることがない。したがって、画像形成装置１００の設置スペースを狭小化することができる。
【００８３】
なお、これまで、第１実施形態から第７実施形態まで説明したが、これらの実施形態を任意に組み合わせてもよい。
【００８４】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００８５】
１００−画像形成装置
２１０−用紙カセット
２１５−用紙カセット
２１６−用紙カセット
２１７−用紙カセット
２１８−用紙カセット
２２０−カセットカバー
２２５−カセットカバー
２２６−カセットカバー
２２７−カセットカバー
２２８−カセットカバー
２３０−第１ロック機構
２４０−第２ロック機構
２５５−第３ロック機構
２５６−第３ロック機構
２５７−第３ロック機構
２６０−ＣＰＵ
【図１】
2013193807.tif 000003
【図２】
2013193807.tif 000004
【図３】
2013193807.tif 000005
【図４】
2013193807.tif 000006
【図５】
2013193807.tif 000007
【図６】
2013193807.tif 000008
【図７】
2013193807.tif 000009
【図８】
2013193807.tif 000010
【図９】
2013193807.tif 000011
【図１０】
2013193807.tif 000012
【図１１】
2013193807.tif 000013
【図１２】
2013193807.tif 000014